(57)【要約】  本発明は、重量物を短距離かつ低速で輸送するように設計された運搬車両のためのタイヤであり、詳細にはタイヤ及びリムから構成される装着組立体である。本発明の別の主題は、このような装着組立体を製作する方法である。装着組立体（１、５、７）は、リム（５）に装着されるタイヤ（１）を備え、タイヤは、地面と接触するように設計されたトレッド（２）と、トレッド（２）の端部から半径方向内向きに延びる２つの側壁（３）と、側壁（２）を半径方向内向きに延びてリム（５）と接触する２つのビード（４）とを含み、トレッド（２）、２つの側壁（３）、２つのビード（４）、及びリム（５）は、内部キャビティ（６）を定め、内部キャビティ（６）は少なくとも１つの非圧縮性固体要素から構成される充填成分（７）を含む。本発明によれば、充填成分（７）は、少なくとも１つのガスを含む隙間によって少なくとも部分的に相互に離間する粒体から構成される粒状充填成分であり、粒体の全体積、すなわち粒体の総基本体積と、内部キャビティ（６）の体積との比率である充填率は、少なくとも０．８に等しい。【選択図】図１Ａ
2014511797.tif 000002
【特許請求の範囲】
【請求項１】
重量物を短距離かつ低速で輸送するように設計された運搬車両のための装着組立体（１、５、７）であって、
リム（５）に装着されるタイヤ（１）を備え、
前記タイヤは、地面と接触するように設計されたトレッド（２）と、前記トレッド（２）の端部から半径方向内向きに延びる２つの側壁（３）と、前記側壁（２）を半径方向内向きに延びて前記リム（５）と接触する２つのビード（４）とを含み、
前記トレッド（２）、前記２つの側壁（３）、前記２つのビード（４）、及び前記リム（５）は、内部キャビティ（６）を定め、
前記内部キャビティ（６）は少なくとも１つの非圧縮性固体要素から構成される充填成分（７）を含み、
前記充填成分（７）は、少なくとも１つのガスを含む隙間（７２）によって少なくとも部分的に相互に離間する粒体（７１）から構成される粒状充填成分であり、前記粒体（７１）の全体積すなわち前記粒体（７１）の総基本体積と、内部キャビティ（６）の体積との比率である充填率は、少なくとも０．８に等しいことを特徴とする装着組立体（１、５、７）。
【請求項２】
前記充填率は、少なくとも０．９５に等しい、請求項１に記載の装着組立体（１、５、７）。
【請求項３】
前記粒状充填成分（７）の前記粒体（７１）は、弾性材料で構成される、請求項１又は２に記載の装着組立体（１、５、７）。
【請求項４】
前記弾性材料は、１０％の延び率において最大で１００ＭＰａに等しい弾性係数を有する粒状充填成分（７）の粒体（７１）を形成する、請求項３に記載の装着組立体（１、５、７）。
【請求項５】
前記粒状充填成分（７）の前記粒体（７１）は、高分子材料で構成される、請求項１から４のいずれかに記載の装着組立体（１、５、７）。
【請求項６】
前記粒体（７１）の間の前記隙間（７２）は、粒状充填成分（７）内で消散された熱の分散を可能にする、少なくとも５０Ｗ／ｍ．Ｋに等しい熱伝導率の熱伝導粉体を含む、請求項１から５のいずれかに記載の装着組立体（１、５、７）。
【請求項７】
前記粒体（７１）の間の前記隙間（７２）は、前記粒体（７１）の相対的な相互移動性の制限を可能にする化学結合を生じさせるために、前記粒体（７１）と相互作用する粉体を含む、請求項１から５のいずれかに記載の装着組立体（１、５、７）。
【請求項８】
前記粒体（７１）の間の前記隙間（７２）は、粘性の高い粘性成品を含む、請求項１から５のいずれかに記載の装着組立体（１、５、７）。
【請求項９】
前記粒体（７１）の間の前記隙間（７２）は、非変形材料から構成される、請求項１又は２に記載の装着組立体（１、５、７）。
【請求項１０】
前記粒体（７１）の間の前記隙間（７２）は、砂で構成される、請求項９に記載の装着組立体（１、５、７）。
【請求項１１】
前記リム（５）は密封リムであり、前記粒体（７１）の間の前記隙間（７２）は、大気圧よりも高い圧力のガスを含む、請求項１から１０のいずれかに記載の装着組立体（１、５、７）。
【請求項１２】
前記リム（５）は密封リムであり、前記粒体（７１）の間の前記隙間（７２）は、使用時に前記粒体（７１）をかき混ぜることで粒状充填成分（７）内に消散された熱の分散を可能にする液体を含む、請求項１から１１のいずれかに記載の装着組立体（１、５、７）。
【請求項１３】
ａ）前記タイヤ（１）の内部キャビティ（６）を閉鎖するように、前記リムの直径と同じ直径の円筒形シュラウド（８）を挿入し、充填手段（９）を用いてタイヤ（１）の内部キャビティ（６）を粒状充填成分（７）で充填し、目的とする充填率となるように前記粒体（７１）を圧縮して、前記粒状充填成分（７）で充填された前記タイヤ（１）及び前記シュラウド（８）を備える中間組立体（１、７、８）を形成する段階と、
ｂ）前記中間組立体（１、７、８）を、移送手段（１０）及び前記粒状充填成分（７）が充填された前記タイヤ（１）が装着されることになる前記リムを含む移送フレームに組み込む段階と、
ｃ）装着組立体（１、５、７）を形成するために、前記移送手段（１０）によってタイヤの回転軸に平行に力を加えることで、前記粒状充填成分（７）が充填された前記タイヤ（１）を前記シュラウド（８）から前記リム（５）上に移送する段階と、
を含む、前記請求項１から５、９、又は１０のいずれかに記載の装着組立体（１、５、７）を製作する方法。
【発明の詳細な説明】
【技術分野】
【０００１】
本発明は、地下鉱山で使用される材料運搬車両といった、重量物を短距離かつ低速で輸送するように設計された運搬車両用タイヤに関する。
本発明の別の主題は、このような搭載組立体を製造する方法である。
【背景技術】
【０００２】
運搬車両は、膨張式タイヤの代わりに中実タイヤを備える場合が多い。中実タイヤはドーナッツ形状の物体であり、多くの場合ゴム製であり、ホイールに取り付けるように設計されるが、膨張ガスで膨張するように設計された内部キャビティを備えていない。中実タイヤに加わる荷重は、中実タイヤの構造体で支持される。
【０００３】
中実タイヤは、膨張式タイヤに対していくつかの利点をもつ。第１の利点は、膨張ガスが存在しないので、空気が抜けること又はパンクすることがなく信頼性及び安全性を確保できる点にある。次に、膨張式タイヤよりも大きい減衰能力によって、中実タイヤは、車両の前軸と後軸との間の動的荷重伝達を引き起こす荷積み作業及び荷下し作業の間の運搬車両の良好な動的安定性に貢献する。更に、中実タイヤは、垂直方向の剛性が高いので積載量がかなり大きく、同じ積載量の膨張式タイヤに比べて所要の空間が小さい。最後に、中実タイヤは、膨張ガスが存在せず圧力のチェックが必要ないので保守管理の手間が少なくなる。
【０００４】
一方で、中実タイヤは、同じ積載量の膨張式タイヤに対していくつかの欠点をもつ。第１の欠点は、中実タイヤは中実構造なので重量が重い。更に、中実構造は、機械的応力の作用の下での使用時に大量の熱を放散し、これは積載量、速度、及び使用期間を制限する。摩耗に対する耐用期間は、中実タイヤのトレッドの地面との接触面において、地面上の圧力分散が最適化されていないので、膨張式タイヤよりも短い。材料量が多いので製造コストが高い。寿命となった摩耗した中実タイヤは、リサイクルが難しい重くて嵩張る廃棄物なので、環境への影響は相当である。最後に、中実タイヤをリムに取り付けるには、リム上への十分なタイトネスを保証して有効なトルク伝達をもたらすことが不可欠である、特殊な取り付け装置を必要とする場合がある。
【０００５】
従来のタイヤは地面と接触するように設計されたトレッドと、トレッドから半径方向内向きに延びる２つの側壁と、側壁を半径方向内向きに延びてリムに接触する２つのビードを備える。リムに取り付けて取り付け組立体を形成する場合、トレッド、２つの側壁、２つのビード、及びリムは内部キャビティを定める。
【０００６】
内部キャビティが少なくとも部分的に固体充填成分で満たされる従来のタイヤは、中実タイヤの代替物として価値がある。この形式の種々の技術的解決法が提案されている。
【０００７】
技術的解決法の第１の種類は、タイヤの内部キャビティを高分子材料の同心円層で充填すること基づいている。国際公開第９７０３８５０号及び米国特許第６５７８６１３号公報には、高分子材料の同心円層から成り、随意的に伸縮継ぎ手を備える固体充填で充填された内部キャビティを有するタイヤが記載されている。米国特許第７６７８２１６号公報には、弾性発泡体に包み込まれた固体材料で作られたコアを含む内部キャビティを備えるタイヤが提案されている。
【０００８】
技術的解決法の第２の種類は、タイヤの内部キャビティを、空洞又はセルを含む形式の高分子発泡体の材料で充填することに基づいている。米国特許第３０２２８１０号、米国特許第３３８１７３５号、米国特許第３８６６６５２号、米国特許第３９０７０１８号、及び米国特許第４０６０５７８号には、各セルが随意的に加圧ガスを含む多孔質の弾性発泡体で充填されている内部キャビティを備えるタイヤが記載されている。
【０００９】
技術的解決法の第３の種類は、タイヤの内部キャビティを架橋剤と混合したゴム粒子で充填することに基づいており、混合物はタイヤに組み入れる前に、特に一体の固体充填成分を形成するように硬化処理によって硬化される。米国特許第１０９７８２４号には、内部キャビティが硫ゴム接着剤といった連結剤で恒久的に連結された加硫ゴム粒子等の、弾性固体粒子で充填されるタイヤが記載される。特開昭５７−０５８５０１号公報には、ゴム粉体及び液体ポリウレタンの加硫混合物が充填されたタイヤで作られた中実タイヤが記載されている。特開２００１−２５２９８９公報及び特開平０４−０８８１６８公報には、従来のタイヤに後で、タイヤに組み入れる前にポリウレタン又はフェノール樹脂等の架橋剤と混合される再生ゴム粉体を充填することで中実タイヤを製造する方法が記載されており、混合物はタイヤ内で硬化して一体の充填成分を形成するようになっている。
【００１０】
前述の全ての技術的解決法は、多孔質高分子発泡体又はゴム粒子の加硫混合物といった一体要素、又は高分子材料の同心円層といった限られた数の要素のいずれかから成る、タイヤの内部キャビティの固体充填成分を説明する。しかしながら、かかる固体充填成分のデザイン及び製造にはある程度の複雑性が伴う。
【００１１】
更に、固体充填成分は機械的剛性を有し、この剛性はタイヤ自体の構造的剛性と共に、充填成分が充填されたタイヤの垂直方向の剛性に貢献する。固体充填成分の剛性を選択すると、固体充填成分が充填されたタイヤの垂直方向の剛性、つまり所定のタイヤに加わる垂直荷重に対するタイヤの相対的な柔軟性を所望のレベルに調整することが可能になる。タイヤの相対的な柔軟性は、タイヤの外径と端部で測定したリムの最大径との間の差の半分に対する半径方向のタイヤの高さの変化率によって規定されるが、タイヤの外径は、荷を下ろした静的状態で測定される。
【先行技術文献】
【特許文献】
【００１２】
【特許文献１】国際特許公開第９７０３８５０号公報
【特許文献２】米国特許第６５７８６１３号公報
【特許文献３】米国特許第７６７８２１６号
【特許文献４】米国特許第３０２２８１０号
【特許文献５】米国特許第３３８１７３５号公報
【特許文献６】米国特許第３８６６６５２号公報
【特許文献７】米国特許第３９０７０１８号公報
【特許文献８】米国特許第４０６０５７８号公報
【特許文献９】米国特許第１０９７８２４号公報
【特許文献１０】特開昭５７−０５８５０１号公報
【特許文献１１】特開２００１−２５２９８９号公報
【特許文献１２】特開平０４−０８８１６８号公報
【発明の概要】
【発明が解決しようとする課題】
【００１３】
タイヤの垂直方向の所望の剛性を得るために固体充填成分の剛性を調整した後、例えば、タイヤに加わる垂直方向の荷重の大幅な変動があった場合に、固体充填成分を全体的に変更することなく剛性を変更することは困難である。
【課題を解決するための手段】
【００１４】
本発明の目的は、重量物を短距離かつ低速で輸送するように設計された運搬車両のための装着組立体のタイヤに施すことが容易な充填成分を提示し、充填成分の剛性を調整することでタイヤの垂直方向の剛性を簡単に調整可能にすることである。
【００１５】
この目的は、重量物を短距離かつ低速で輸送するように設計された運搬車両のための装着組立体であって、
リムに装着されるタイヤを備え、
タイヤは、地面と接触するように設計されたトレッドと、トレッドの端部から半径方向内向きに延びる２つの側壁と、側壁を半径方向内向きに延びてリムと接触する２つのビードとを含み、
トレッド、２つの側壁、２つのビード、及びリムは、内部キャビティを定め、
内部キャビティは、少なくとも１つの非圧縮性固体要素から構成される充填成分を含み、
充填成分は、少なくとも１つのガスを含む隙間によって少なくとも部分的に相互に離間する粒体から構成される粒状充填成分であり、粒体の全体積すなわち粒体の総基本体積と、内部キャビティの体積との比率である充填率は、少なくとも０．８に等しい装着組立体によって達成される。
【００１６】
本質的に、充填成分は、タイヤの内部キャビティを少なくとも部分的に充填するように設計される。粒状充填成分は、小さな粒子であって非圧縮性材料から構成されて相互に移動可能な粒体から構成される。小さな粒子は、タイヤの内部キャビティの体積よりも非常に小さい基本体積を有し、最大で内部キャビティの体積の１０-4倍に等しく、少なくとも内部キャビティの体積の１０-7倍に等しい。例えば、体積が４０．１０-3ｍ3に等しい内部キャビティに関して、１ｃｍ3の粒体の基本体積は、内部キャビティの体積の０．２５．１０-4倍に等しく、１ｍｍ3の粒体の基本体積は、内部キャビティの体積の０．２５．１０-7倍に等しい。本質的に、圧力が大きくなっても縮小しない体積を有する非圧縮性材料は、ゴム等の弾性があるもの、又は砂等の硬いものとすることができる。
【００１７】
粒体は、少なくともガスを含む隙間によって少なくとも部分的に互いに離間される。この形状により、粒体は、隣接する粒体と一部の表面でのみ接触するので、粒体の間に隙間が存在する。タイヤの内部キャビティが粒体で充填される場合、大気中空気は粒体の間の隙間に捕捉される。更に、タイヤの内部キャビティを粒体で充填した後にタイヤを膨張させることを想定でき、従って、膨張ガスは、隙間に分配され、例えば、ＥＴＲＴＯ（欧州タイヤ及びリム技術機関）規格で推奨されるようなタイヤの使用圧力である、大気圧よりも高い圧力を有する。
【００１８】
タイヤの内部キャビティの体積は実質的に一定なので、タイヤの使用条件において、本発明者らは、粒体の全体積、すなわち粒体の総基本体積と、内部キャビティの体積との比率で定義される充填率が少なくとも０．８に等しい場合には、粒状充填成分を有するタイヤの垂直方向の剛性が、粒状充填成分が無く所定の運転荷重に対するタイヤの使用圧力で膨張した同じタイヤの垂直方向の剛性に確実に等しくなることを明らかにした。
【００１９】
０．８以下の充填率では、十分に膨張していないタイヤと同様に垂直方向の剛性が低下して、タイヤが最適に作動しない。
【００２０】
充填率は、タイヤの内部キャビティの粒体を圧縮することで得られる。圧縮は、粒体の間の隙間の体積を低減するように粒状充填成分に圧力を加えることを含む。粒体の基本体積が小さくなると、粒体の間の隙間の体積が小さくなり、目的とする充填率を達成するために粒状充填成分を圧縮する必要性が低くなる。
【００２１】
内部キャビティが粒状充填成分で充填され、機械的な運転応力を受けるタイヤは、中実タイヤ又は内部キャビティが固体充填成分で充填されたタイヤ、並びに従来の膨張式タイヤとは異なる機械的挙動を示す。
【００２２】
中実タイヤ又は固体充填成分を含むタイヤの場合、タイヤに加わる垂直方向の荷重は、中実タイヤ又は固体充填成分の固体圧縮によって吸収される。タイヤの柔軟性の関数としてタイヤに加わる荷重の変化は実質的に直線である。
【００２３】
従来の膨張式タイヤの場合、タイヤに加わる垂直方向の荷重は、タイヤの構造体及び膨張ガスによって吸収される。従って、タイヤの垂直方向の剛性は、タイヤの構造的剛性及び膨張ガスによる空気的剛性によって生じる。タイヤの柔軟性の関数としてタイヤに加わる荷重の変化は実質的に直線であるが、多くの場合、より硬い中実タイヤの場合よりも傾斜が緩やかである。
【００２４】
粒状充填成分を含むタイヤの場合、タイヤに加わる垂直方向の荷重は、タイヤの内部キャビティの充填率の関数である、粒状充填成分の圧縮によって吸収される。充填率が大きいほど粒状充填成分の体積の圧縮性が低下する。タイヤの柔軟性の関数としてタイヤに加わる荷重の変化は著しく非線形である。荷重が小さい場合、走行時の粒状充填成分の圧縮により柔軟性は急激に大きくなり、粒体の基本体積と充填率の関数である。荷重が大きい場合、高度に圧縮された粒状充填成分の粒体を構成する材料の非圧縮性により柔軟性の変化は急激に小さくなり、タイヤの機械的挙動は中実タイヤの挙動となる。
【００２５】
粒状充填成分を含むタイヤの挙動は、排他的ではないが、特に粒体の非圧縮性の特性、粒状充填成分の低い剪断強度、及び各粒子の間の摩擦又は合体といった、粒状の環境の種々の特定の複雑な現象に起因する。
【００２６】
粒状充填成分は一様であることが好都合であり、換言すると、同じ材料で同じサイズの粒体で構成される。「同じサイズ」は、粒体の基本体積が、最小基本体積と最大基本体積との間で変わることを意味し、例えば、最大基本体積は最小基本体積の最大１．２倍に等しい。
【００２７】
粒状充填成分の粒体は、安価な材料で構成されることが好ましい。安価な弾性材料から作られる粒体は、例えば、タイヤのゴムトレッドを細断及び破砕したものをリサイクルしたものである。安価な硬質材料から作られる粒体は、例えば砂粒である。
【００２８】
充填率は、少なくとも０．９５に等しいことが好都合である。この大きな充填率は、内部キャビティが完全に充填されたタイヤを特徴付ける。完全に充填すると、低荷重でも粒状充填成分の剛性が確保される。他方で、タイヤが完全に充填されていない場合、垂直方向の剛性は、膨張していないタイヤと同様にそもそも非常に低い。
【００２９】
第１の実施形態によれば、粒状充填成分の粒体は、弾性があることが好都合である。荷重がもはやタイヤに加えられない場合、結果的に、粒状充填成分は、元の形状に戻り、これによりタイヤ形状の経時的な安定性が確保される。
【００３０】
第１の実施形態の第１の変形例では、粒状充填成分の粒体を形成する弾性材料は、１０％の延び率において最大で１００ＭＰａに等しい弾性係数を有することが好都合であり、例えば、エラストマーベースの高分子材料といった高度に変形可能な材料の特性である。本質的に、１０％の延び率での弾性係数は、当該材料の試験片の１０％の延び率に関して測定した引張応力である。エラストマーベースの高分子材料の場合、硬化後の当該材料の引張変形の関数としての応力特性は、当業者には公知の方法による、例えば、国際規格ＩＳＯ３７で規定される国際規格ＩＳＯ４７１標準温度（２３±２度）及び標準湿度状態（５０±５％相対湿度）での試験片の引張試験によって求められる。
【００３１】
第１の実施形態の好ましい第２の変形例では、弾性材料の中で、高分子材料、好ましくはエラストマーベースの高分子材料で構成される粒体を選択することが好都合である。特に、経済的及び環境的な観点から、材料として、再生粉体若しくは部分的又は全体的に粉砕したタイヤ等の、エラストマーベースの高分子材料であるタイヤからリサイクルされたゴムを使用することは価値がある。再生粉体は、タイヤトレッドを粉砕して再生することで得られる。必要であれば、例えば、粒体として使用するために、粒体の熱消散を制限するために可能な限り最小のヒステリシスレベルで特別に設計されたラストマーベースの高分子材料を用いることが可能である。
【００３２】
第１の実施形態の第３の変形例では、粒体の間の隙間は、好ましくは少なくとも５０Ｗ／ｍ．Ｋに等しい熱伝導率の熱伝導粉体を含む。熱伝道粉体により、粒状充填成分内で消散された熱を分散することが可能になる。特に、粒体の間及び内部キャビティの壁との間の摩擦接触により、粒体は、熱を消散するか又は熱エネルギを生じる。更に、粒体の変形によっても熱が発生する。従って、このことは、粒体、結果的に粒状充填成分の剛性にダメージを与える可能性があるホットスポットの生成を阻止する。
【００３３】
第１の実施形態の第４の変形例では、粒体の間の隙間は、粒体の相対的な相互移動性を制限することを可能にする化学結合を生じさせるために、粒体と相互作用する粉体を含むことが好都合である。この化学結合は、粒状充填成分の内部の温度を高めることで引き起こされ、走行中にタイヤに作用する機械的応力によってもたらされる。
【００３４】
最後に、第１の実施形態の第５の変形例では、粒体の隙間が粘性の高い粘性成品を含むことが好都合である。成品の粘性は、装着組立体のリムバルブを経由した粒状充填成分への挿入時、その後に液体相になる程度に十分に低いことが必要である。しかし、この粘性は、密封されていなリムの場合、挿入後に成品がリムの外側に流出しない程度に高いことが必要である。この粘性成品は、タイヤの内部キャビティに粒状充填物を配置した後にタイヤの剛性を調整するために使用される。更に、粒状充填成分内で固化して粒体の少なくとも局所的な集塊をもたらす粘性成品を使用することを想定することができ、これはタイヤの剛性を高めることにも貢献する。
【００３５】
第２の実施形態において、粒状充填成分の粒体は、非変形材料から構成される。この非変形性により、変形しない又は硬い粒体は本質的に熱を発生しない。更に、変形しない粒体から構成される粒状充填成分は、粒体の圧縮おける安定化段階の後で、好都合に使用中に一定の体積を維持し、これによりタイヤの寿命期間中に内部キャビティを追加的に充填する必要がなくなる。例示的であり限定するものではないが砂又はガラス等の鉱物といった、様々な種類の非変形材料を想定することができる。
【００３６】
第２の実施形態の好ましい変形例は、粒体として砂粒を選択することである。安価な材料である砂は、種々の粒子サイズの形態で存在し、種々の粒度である。適切な粒子サイズを選択することで、目的とするタイヤの垂直方向の剛性の関数として充填率を簡単に調整することが可能になる。
【００３７】
タイヤの内部キャビティを充填する間に、大気中空気は、自然に粒体の間に隙間に捕捉される。本発明の第３の実施形態によれば、特定の密封リムの場合、粒体の隙間が大気圧よりも高い圧力のガスで満たされるように、空気又は窒素といった膨張ガスでタイヤを膨張させることは好都合である。実際には２種類のリムがあり、装着組立体を密封するためにタイヤ内にチューブを必要とするチューブ式リムと、内部にチューブを必要とすることなく確実に密封するチューブレスリムである。設計上、チューブ式リムは結果的に密封されないが、チューブレスリムは密封される。運搬車両のための装着組立体の場合、充填成分を選択するために、チューブが無いことが常に２つの種類のリムの区別につながる。結果的に、チューブの無い装着組立体は、チューブレスリムの場合でのみ膨張させることができる。
【００３８】
更に、本発明者は、内部キャビティが粒状充填成分で満たされ、膨張ガスを用いて所定圧力に膨張されたタイヤは、所定の荷重以下では、充填成分を含まないが、この同じ圧力に膨張されたタイヤと同じ垂直方向の剛性を有すること、及びこの荷重以上では、中実タイヤと同じ垂直方向の剛性を有することを見出した。換言すると。このようなタイヤは、軽荷重では従来の膨張式タイヤ、重荷重では中実タイヤと同様に機能する。
【００３９】
剛性のこのような変化点は、動的走行荷重と、クレーン、一般的にはリフト機の場合のような静的操作荷重とを区別するために利用する特定の値とすることができる。従って、粒状充填成分を含むタイヤの垂直方向の剛性は、充填率及び膨張圧力を用いて調整され、タイヤは、荷を下ろした走行フェーズでは従来の膨張式タイヤ、荷重持ち上げ操作フェーズでは中実タイヤのように機能する。
【００４０】
本発明の第４の実施形態では、粒体の間の隙間は液体を含み、使用時に粒体をかき回すことによって粒状充填成分で消散された熱を分散させることが可能になる。液体の使用は、密封リムの場合だけ想定することができる。隙間に含まれる液体は、粒体の間の接触圧に応じて、粒間接触ゾーンの粒体の間に入れることもできる。粒体の間の隙間では気相と液相とが共存できる。
【００４１】
この液体には２つの機能がある。液体の第１の機能は、使用時に粒体がかき回される場合、換言するとタイヤ回転時の粒子の相対移動の間に、粒状充填成分の熱を分散させる機能である。液体の第２の機能は、粒子間の潤滑をもたらして粒間摩擦、従って摩擦によって発生する熱を低減する機能である。
【００４２】
液体の選択は、機能の一方又は他方を促進することができる。タイヤの使用温度範囲全域で液相とすることができる水、又は一般的には水溶液は、熱分散に対する有効な冷却剤の例である。オイル等の潤滑液は、粒間の滑りを促進するので摩擦によるエネルギ発散を制限する。
【００４３】
また、本発明は、内部キャビティが粒状充填成分で充填されたタイヤ及びリムで構成される装着組立体を製造するための方法に関する。
【００４４】
このような装着組立体を製作する方法は、
ａ）タイヤの内部キャビティを閉鎖するように、リムの直径と同じ直径の円筒形シュラウドを挿入し、充填手段を用いてタイヤの内部キャビティを粒状充填成分で充填し、目的とする充填率となるように粒体を圧縮して、粒状充填成分で充填されたタイヤ及びシュラウドを備える中間組立体を形成する段階と、
ｂ）中間組立体を、移送手段及び粒状充填成分が充填されたタイヤが装着されることになるリムを含む移送フレームに組み込む段階と、
ｃ）装着組立体を形成するために、移送手段によってタイヤの回転軸に平行に力を加えることで、粒状充填成分が充填されたタイヤをシュラウドからリム上に移送する段階と、
を含む。
【００４５】
第１の段階において、リムの直径と同じ直径の円筒形シュラウドは、タイヤの内部キャビティを閉鎖するように配置される。リムの直径はシート部での直径であり、換言すると、タイヤの半径方向の内側部に接触するリム部分の直径である。リムの直径と同じ直径の円筒形シュラウドを使用すると、目的とする充填率を得ることが可能になる。
【００４６】
例えばポンプ式の適切な充填手段を用いて、円筒形シュラウドを経由してタイヤの内部キャビティを粒状充填成分で充填する。
【００４７】
例えばピストンである、粒状充填成分に圧力を加える適切な手段を用いて粒体の圧縮を行う。粒体の種類及びサイズと関連するこの圧縮により、目的とする充填率を得ることが可能になる。
【００４８】
充填及び圧縮の後、結果として得られたものは粒状充填成分で充填されたタイヤ及びシュラウドから成る中間組立体である。
【００４９】
第２の段階は、中間組立体を、移送手段及びリムを含む移送フレームに配置する。中間組立体は、円筒形シュラウドが、粒状充填成分が充填されたタイヤが装着されることになるリムと同軸になるように位置決めされる。移送手段の１つは、例えば、タイヤの回転軸に平行な力を加えて、タイヤをシュラウドからリムに移送させる環状構造体である。
【００５０】
第３の及び最後の段階は、装着組立体を形成するために、移送手段によってタイヤの回転軸に平行に力を加えることで、粒状充填成分が充填されたタイヤをシュラウドからリム上に移送する。
【００５１】
円筒形シュラウドに装着されたタイヤで構成される中間組立体を製作する利点は、充填手段とリムに移送するための手段とを切り離すことである。これにより、本発明による装着組立体の製造の自由度が与えられ、タイヤをリムに装着するために移送手段に搬送する前に、複数の中間組立体を同時に製造して貯蔵することができる。
【００５２】
本方法は、前述の粉体、膨張ガス、液体といった補助的な成分を含まなくても簡単な粒状充填成分を含む装着組立体の製造に関する。
【００５３】
本発明の特徴は、添付図面１から３Ｃの説明を参照して良好に理解できるはずである。
【図面の簡単な説明】
【００５４】
【図１Ａ】内部キャビティが粒状充填成分で充填され、リムに装着されるタイヤを構成する、装着組立体の子午面の断面図を示す。
【図１Ｂ】粒状充填成分の拡大図を示す。
【図２】タイヤの柔軟性の関数としての荷重の変化曲線を示す。
【図３Ａ】本発明による取り付けアッセンブリを製作するステップを示す。
【図３Ｂ】本発明による取り付けアッセンブリを製作するステップを示す。
【図３Ｃ】本発明による取り付けアッセンブリを製作するステップを示す。
【発明を実施するための形態】
【００５５】
図１Ａから３Ｃは、理解を容易にするために縮尺通りに示されていない。
【００５６】
図１Ａは、リム５に装着されたタイヤ１の回転軸を通る平面に沿った子午断面を示す。タイヤ１は、地面と接触するように設計されたトレッド２と、トレッド２の端部から半径方向内向きに延びる２つの側壁３と、側壁３を半径方向内向きに延びてリム５と接触する２つのビード４とを備える。トレッド２、２つの側壁３、２つのビード４、及びリム５は内部キャビティ６を定める。内部キャビティ６は、粒体から構成される粒状充填成分７を含む。
【００５７】
図１Ｂは、粒状充填成分の拡大図である。粒体７１は、少なくとも１つのガスが入っている隙間７２で分離される
【００５８】
図２は、３つの曲線Ｃ1、Ｃ2、及びＣ3は、タイヤの柔軟性ｆの関数としてタイヤに加わる荷重Ｚの変化を示す。点（Ｚ、ｆ）での曲線Ｃの接線方向の直線の傾きは、この点でのタイヤの垂直方向の剛性を定める。曲線Ｃ1は、粒状充填成分が存在せず圧力Ｐで膨張した状態での、タイヤに関する柔軟性ｆの関数として荷重Ｚの変化を示す。曲線Ｃ2は、粒状充填成分が存在するが膨張されていない状態での、タイヤに関する柔軟性ｆの関数として荷重Ｚの変化を示す。曲線Ｃ3は、粒状充填成分が存在してＣ1と同じ圧力Ｐで膨張した状態での、タイヤに関する柔軟性ｆの関数として荷重Ｚの変化を示す。曲線Ｃ3は、移行値を下回る荷重値に対して従来の膨張式タイヤの特性である曲線Ｃ1と区別できず、移行領域の後では中実タイヤの特性である曲線Ｃ２と区別できない。
【００５９】
図３Ａから３Ｃは、本発明による装着組立体の製作方法のステップを概略的に示す。
【００６０】
図３Ａは、第１の方法ステップを示す。タイヤ１の内部キャビティ６を閉鎖するように、リムと同径の円筒形シュラウド８を設置する。次に、円筒形シュラウド８を貫通する充填手段９を用いて、円筒形シュラウド８で閉鎖されたタイヤ１の内部キャビティ６を粒状充填成分７で充填する。粒体は、目的とする充填率になるように適切な手段（図示せず）を用いて圧縮される。第１のステップにより中間組立体１、７、８が形成される。
【００６１】
図３Ｂは、第２の方法ステップを示し、中間組立体１、７、８を移送手段１０及びタイヤ１が装着されることになるリム５を備える移送フレーム上に配置する段階を含む。
【００６２】
最後に、図３Ｃは、第３の方法ステップを示し、装着組立体１、７、５を形成するために移送手段１０でタイヤの回転軸に平行な力を加えることによって、粒状充填成分７で充填されたタイヤ１をシュラウド８からリム５へ移送する。
【００６３】
本発明者は、運搬車両に本発明を使用して記載した充填方法によって装着組立体を製作した。使用する粒状充填成分は、タイヤ再生時のトレッドのリサイクルで生じる再生粉体の粒体から構成される。粉体の間の隙間は、大気中空気で満たされる。得られた充填率は、約０．８５である。また、記載した種々の実施形態、つまりタイヤの使用圧力での膨張空気、水等の液体、及びカーボンブラックベースの粉体に照らして試験を行った。
【符号の説明】
【００６４】
１  タイヤ
２  トレッド
３  側壁
４  ビード
５  リム
６  内部キャビティ
７  粒状充填成分
【図１Ａ】
2014511797.tif 000003
【図１Ｂ】
2014511797.tif 000004
【図２】
2014511797.tif 000005
【図３Ａ】
2014511797.tif 000006
【図３Ｂ】
2014511797.tif 000007
【図３Ｃ】
2014511797.tif 000008
【国際調査報告】
2014511797.tif 000009
2014511797.tif 000010
2014511797.tif 000011
2014511797.tif 000012